【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
同じサブフレームにおいて周波数領域多重化された第1の無線アクセス技術(RAT)の信号および第2のRATの信号を含む合成信号を受信するステップと、
前記第1のRATの前記信号に対応する第1の送信(Tx)直流(DC)ロケーションを識別するステップと、
前記第2のRATの前記信号に対応する第2のTx DCロケーションを識別するステップと、
前記第1のTx DCロケーションまたは前記第2のTx DCロケーションのうちの1つを共通受信(Rx)DCロケーションとして選択するステップと、
前記共通Rx DCロケーションに基づいて前記合成信号に対して共通Rx高速フーリエ変換(FFT)を実行するステップと、
前記共通Rx FFTの出力に基づいて前記第1のRATの前記信号および前記第2のRATの前記信号を復号するステップであって、前記共通Rx FFTの前記出力を前記第1のRATに関連付けられたリソースブロック(RB)および前記第2のRATに関連付けられたRBに分離するステップを備える、ステップと、
前記第1のRATに関連付けられた前記RBまたは前記第2のRATに関連付けられた前記RBのいずれかにおける各トーンにそれぞれの複素位相補償値を適用することによって、前記第1のRATに関連付けられた前記RBまたは前記第2のRATに関連付けられた前記RBのいずれかを処理するステップと
を備える、方法。
【請求項２】
前記第1のTx DCロケーションおよび前記第2のTx DCロケーションが、ハーフトーンシフトだけ異なる、請求項1に記載の方法。
【請求項３】
前記第1のRATが、ハーフトーンシフトをアップリンク(UL)通信に使用する、請求項1に記載の方法。
【請求項４】
前記第1のTx DCロケーションまたは前記第2のTx DCロケーションのうちの1つを選択するステップが、前記共通Rx DCロケーションとして前記第1のTx DCロケーションを選択するステップをさらに備える、請求項3に記載の方法。
【請求項５】
前記共通Rx FFTを実行する前にハーフトーン回転を前記合成信号に適用するステップをさらに備える、請求項4に記載の方法。
【請求項６】
前記第1のRATに関連付けられた前記RBまたは前記第2のRATに関連付けられた前記RBのいずれかを処理するステップが、前記第2のRATに関連付けられた前記RBにおける各トーンに前記それぞれの複素位相補償値を適用することによって、前記第2のRATに関連付けられた前記RBを処理するステップをさらに備える、請求項5に記載の方法。
【請求項７】
前記第1のTx DCロケーションまたは前記第2のTx DCロケーションのうちの1つを選択するステップが、前記共通Rx DCロケーションとして前記第2のTx DCロケーションを選択するステップをさらに備える、請求項3に記載の方法。
【請求項８】
前記第1のRATに関連付けられた前記RBまたは前記第2のRATに関連付けられた前記RBのいずれかを処理するステップが、前記第1のRATに関連付けられた前記RBにおける各トーンに前記それぞれの複素位相補償値を適用することによって、前記第1のRATに関連付けられた前記RBを処理するステップをさらに備える、請求項7に記載の方法。
【請求項９】
前記第1のRATに関連付けられた前記RBまたは前記第2のRATに関連付けられた前記RBのいずれかを処理するステップが、前記第1のRATに関連付けられた前記RBまたは前記第2のRATに関連付けられた前記RBのいずれかにおける各トーンを前記それぞれの複素位相補償値で乗算するステップを備える、請求項1に記載の方法。
【請求項１０】
前記それぞれの複素位相補償値が各々、シンボルインデックス、サイクリックプレフィックス(CP)タイプ、またはそれらの組合せに基づく、請求項9に記載の方法。
【請求項１１】
ルックアップテーブル(LUT)を介してまたは計算を通じて前記それぞれの複素位相補償値を決定するステップをさらに備える、請求項9に記載の方法。
【請求項１２】
ワイヤレス通信のための方法であって、
第1の無線アクセス技術(RAT)の信号および第2のRATの信号を、それぞれ第1のリソースブロック(RB)および第2のRBに符号化するステップであって、各トーン入力にそれぞれの複素位相補償値を適用することによって、前記第1のRATに関連付けられた前記RBまたは前記第2のRATに関連付けられた前記RBのいずれかを処理する、ステップと、
前記第1のRATの前記信号に対応する第1の送信(Tx)直流(DC)ロケーションを識別するステップと、
前記第2のRATの前記信号に対応する第2のTx DCロケーションを識別するステップと、
前記第1のTx DCロケーションまたは前記第2のTx DCロケーションのうちの1つを共通Tx DCロケーションとして選択するステップと、
前記共通Tx DCロケーションに基づいて前記第1のRBおよび前記第2のRBに対して共通Tx逆高速フーリエ変換(iFFT)を実行するステップと、
前記共通Tx iFFTの出力に基づいて、同じサブフレームにおいて周波数領域多重化された前記第1のRATの前記信号および前記第2のRATの前記信号を含む合成信号を送信するステップと
を備える、方法。
【請求項１３】
前記第1のTx DCロケーションおよび前記第2のTx DCロケーションが、ハーフトーンシフトだけ異なる、請求項12に記載の方法。
【請求項１４】
前記第1のRATが、ハーフトーンシフトをアップリンク(UL)通信に使用し、前記第1のTx DCロケーションまたは前記第2のTx DCロケーションのうちの1つを選択するステップが、前記共通Tx DCロケーションとして前記第1のTx DCロケーションを選択するステップをさらに備える、請求項12に記載の方法。
【請求項１５】
前記第1のRATに関連付けられた前記RBまたは前記第2のRATに関連付けられた前記RBのいずれかを処理するステップが、前記それぞれの複素位相補償値を各トーン入力に適用することによって、前記第2のRATに関連付けられた前記RBを処理するステップを備える、請求項14に記載の方法。
【請求項１６】
前記共通Tx iFFTを実行した後かつ前記合成信号を送信する前にハーフトーン回転を前記合成信号に適用するステップをさらに備える、請求項15に記載の方法。
【請求項１７】
前記第1のTx DCロケーションまたは前記第2のTx DCロケーションのうちの1つを選択するステップが、前記共通Tx DCロケーションとして前記第2のTx DCロケーションを選択するステップをさらに備える、請求項14に記載の方法。
【請求項１８】
前記第1のRATに関連付けられた前記RBまたは前記第2のRATに関連付けられた前記RBのいずれかを処理するステップが、前記それぞれの複素位相補償値を各トーン入力に適用することによって、前記第1のRATに関連付けられた前記RBを処理するステップを備える、請求項17に記載の方法。
【請求項１９】
前記第1のRATに関連付けられた前記RBまたは前記第2のRATに関連付けられた前記RBのいずれかを処理するステップが、
前記第1のRATに関連付けられた前記RBまたは前記第2のRATに関連付けられた前記RBのいずれかにおける各トーン出力を前記それぞれの複素位相補償値で乗算するステップであって、前記それぞれの複素位相補償値が各々、シンボルインデックス、サイクリックプレフィックス(CP)タイプ、またはそれらの組合せに基づく、ステップ
を備える、請求項12に記載の方法。
【請求項２０】
ワイヤレス通信のための方法であって、
同じサブフレームにおいて周波数領域多重化された第1の無線アクセス技術(RAT)の信号および第2のRATの信号を含む合成信号を受信するステップと、
前記第1のRATの前記信号に対応する第1の送信(Tx)直流(DC)ロケーションを識別するステップと、
第1のRx DCロケーションに基づいて前記合成信号に対して第1のRx高速フーリエ変換(FFT)を実行するステップと、
前記第2のRATの前記信号に対応する第2のTx DCロケーションを識別するステップと、
第2のRx DCロケーションに基づいて前記合成信号の複製に対して第2のRx FFTを実行するステップと、
前記第1のRx FFTの出力および前記第2のRx FFTの出力に基づいて前記第1のRATの前記信号および前記第2のRATの前記信号を復号するステップと
を備える、方法。
【請求項２１】
前記第1のRATの前記信号および前記第2のRATの前記信号を復号するステップが、前記第1のRATの前記信号を復号する一方で、前記第2のRATに関連付けられたリソースブロック(RB)を破棄するステップを備え、
前記方法が、前記第2のRATの前記信号を復号する一方で、前記第1のRATに関連付けられたRBを破棄するステップをさらに備える、
請求項20に記載の方法。
【請求項２２】
前記合成信号が、マルチユーザ多入力多出力(MU-MIMO)通信の結果である、請求項20に記載の方法。
【請求項２３】
前記第1のRx FFTを実行する前にハーフトーン回転を前記合成信号に適用するステップをさらに備える、請求項22に記載の方法。
【請求項２４】
前記第1のRATの前記信号および前記第2のRATの前記信号を復号するステップが、前記第1のRx FFTの前記出力を前記第1のRATに関連付けられたリソースブロック(RB)および前記第2のRATに関連付けられたRBに分離するステップを備え、
前記方法が、それぞれの複素位相補償値を各トーン出力に適用することによって、前記第2のRATに関連付けられた前記RBを処理するステップをさらに備える、
請求項23に記載の方法。
【請求項２５】
前記第1のRATの前記信号および前記第2のRATの前記信号を復号するステップが、前記第2のRx FFTの前記出力を前記第1のRATに関連付けられたリソースブロック(RB)および前記第2のRATに関連付けられたRBに分離するステップを備え、
前記方法が、それぞれの複素位相補償値を各トーン出力に適用することによって、前記第1のRATに関連付けられた前記RBを処理するステップをさらに備える、
請求項24に記載の方法。
【請求項２６】
ワイヤレス通信のための方法であって、
第1の無線アクセス技術(RAT)の信号および第2のRATの信号を、それぞれ第1のリソースブロック(RB)および第2のRBに符号化するステップと、
前記第1のRATの前記信号に対応する第1の送信(Tx)直流(DC)ロケーションを識別するステップと、
前記第1のTx DCロケーションに基づいて前記第1のRBに対して第1のTx逆高速フーリエ変換(iFFT)を実行するステップと、
前記第2のRATの前記信号に対応する第2のTx DCロケーションを識別するステップと、
前記第2のTx DCロケーションに基づいて前記第2のRBに対して第2のTx iFFTを実行するステップと、
前記第1のTx iFFTおよび前記第2のTx iFFTの出力に基づいて、同じサブフレームにおいて周波数領域多重化された前記第1のRATの前記信号および前記第2のRATの前記信号を含む合成信号を送信するステップと
を備える、方法。
【請求項２７】
前記第1のTxを実行するステップおよび前記第2のTx iFFTを実行するステップが、前記UEがアップリンク(UL)多入力多出力(MIMO)対応であるとき、前記第1のTx iFFTおよび前記第2のTx iFFTをそれぞれ第1のTxチェーンおよび第2のTxチェーンによって実行するステップをさらに備える、請求項26に記載の方法。
【請求項２８】
前記第1のTxを実行するステップおよび前記第2のTx iFFTを実行するステップが、前記UEがアップリンク(UL)多入力多出力(MIMO)対応または帯域内非連続キャリアアグリゲーション(CA)対応であるとき、前記第1のTx iFFTおよび前記第2のTx iFFTをそれぞれ第1のTxチェーンおよび第2のTxチェーンによって実行するステップをさらに備え、前記第1のTxチェーンおよび前記第2のTxチェーンが互いに独立しており、各々が別個の電力増幅器(PA)を有する、請求項26に記載の方法。